(57)【要約】【課題】任意の波長を出力可能、且つ任意の方路へ出力可能、且つ波長・方路の衝突がない波長パス通信ノード装置を提供すること。【解決手段】分岐挿入装置１１は、少なくとも１つのクライアント装置及び少なくとも１つのネットワークと光信号を通信する通信部１０１と、受信した光信号の属性に対応して光信号の転送先を通信部１０１に指示する制御部１０２と、を備え、制御部１０２は、光信号の減衰量を接続する装置単位で通信部１０１に指示し、接続する装置が変更された場合に減衰量の変更を通信部１０１に指示し、通信部１０１は、制御部１０２が指示する減衰量で光信号を減衰し、減衰後の光信号を転送先に転送する。【選択図】図２
2020198614.tif 000002
【特許請求の範囲】
【請求項１】
波長多重光信号を複数の光信号に分波する分波器と、
前記複数の光信号のうち、少なくとも第１の光信号を減衰して第１の光学装置へ出力する第１の光減衰器と、
前記第１の光減衰器に対して、前記第１の光学装置に対応した減衰量を指示する制御部と、を備え、
前記制御部は、前記第１の光学装置が第２の光学装置に切り替えられたとき、前記減衰量を変化させる分岐挿入装置。
【請求項２】
前記複数の光信号のうち、少なくとも第２の光信号を減衰して第３の光学装置へ出力する第２の光減衰器を備え、
前記制御部は、前記第２の光減衰器に対して、前記第３の光学装置に対応した減衰量を指示する請求項１に記載の分岐挿入装置。
【請求項３】
前記制御部は、前記波長多重光信号を構成する波長毎の転送先を前記分波器に指示し、
前記分波器は、前記波長多重光信号を分波して、前記転送先である前記第１の光学装置へ、当該波長毎に選択的に転送する請求項１又は２に記載の分岐挿入装置。
【請求項４】
前記分波器は、前記制御部からの指示に応じて、前記波長多重光信号に含まれる波長の光信号の属性に応じて前記波長の光信号の転送先を選択的に切り替える請求項３に記載の分岐挿入装置。
【請求項５】
前記制御部は、前記切り替えの際に、前記第２の光学装置に応じて予め定められた減衰量を指示し、
前記分波器は、前記減衰量で、前記波長の光信号を減衰し、減衰後の光信号を前記転送先である前記第２の光学装置に転送する請求項３に記載の分岐挿入装置。
【請求項６】
前記第１の光減衰器は、前記第１の光信号の属性に応じた出力ポートを介して、前記第１の光信号を出力する
請求項１から５のいずれか１項に記載の分岐挿入装置。
【請求項７】
前記第１の光学装置は、クライアント装置又はネットワークである
請求項１乃至６のいずれか一項に記載の分岐挿入装置。
【請求項８】
第１の入力ポートから入力する第３の光信号と、第２の入力ポートから入力する第４の
光信号とを合波して出力する合波部を備え、
前記制御部は、前記第１の入力ポートに対応する第３の光減衰量を第３の光減衰器に対して指示し、前記第２の入力ポートに対応する第４の光減衰量を第４の光減衰器に対して指示し、
前記第３の光減衰量は、前記第１の入力ポートの接続先と対応して定められ、
前記第４の光減衰量は、前記第２の入力ポートの接続先と対応して定められる
請求項１乃至７のいずれか一項に記載の分岐挿入装置。
【請求項９】
前記制御部は、前記第１の光減衰器の出力先を示す接続情報を外部管理装置から受け取り、前記接続情報に基づいて、前記第１の光信号に対する減衰量を特定する
請求項１乃至８のいずれか一項に記載の分岐挿入装置。
【請求項１０】
波長多重光信号を伝送する光伝送路と
前記光伝送路から前記波長多重光信号が入力する分岐挿入装置と、を備え、
前記分岐挿入装置は、
前記波長多重光信号を複数の光信号に分波する分波器と、
前記複数の光信号のうち、少なくとも第１の光信号を減衰して第１の光学装置へ出力する第１の光減衰器と、
前記第１の光減衰器に対して、前記第１の光学装置に対応した減衰量を指示する制御部と、を備え、
前記制御部は、前記第１の光学装置が第２の光学装置に切替えられたとき、前記減衰量を変化させる
光伝送システム。
【請求項１１】
前記複数の光信号のうち、少なくとも第２の光信号を減衰して第３の光学装置へ出力する第２の光減衰器を備え、
前記制御部は、前記第２の光減衰器に対して、前記第３の光学装置に対応した減衰量を指示する請求項１０に記載の光伝送システム。
【請求項１２】
前記制御部は、前記波長多重光信号を構成する波長毎の転送先を前記分波器に指示し、
前記分波器は、前記波長多重光信号を分波して、前記転送先である前記第１の光学装置へ、当該波長毎に選択的に転送する請求項１０又は１１に記載の光伝送システム。
【請求項１３】
前記分波器は、前記制御部からの指示に応じて、前記波長多重光信号に含まれる波長の光信号の属性に応じて前記波長の光信号の転送先を選択的に切り替える請求項１２に記載の光伝送システム。
【請求項１４】
前記制御部は、前記切り替えの際に、前記第２の光学装置に応じて予め定められた減衰量を指示し、
前記分波器は、前記減衰量で、前記波長の光信号を減衰し、減衰後の光信号を前記転送先である前記第２の光学装置に転送する請求項１３に記載の光伝送システム。
【請求項１５】
前記第１の光減衰器は、前記第１の光信号の属性に応じた出力ポートを介して、前記第１の光信号を出力する
請求項１０から１４のいずれか１項に記載の光伝送システム。
【請求項１６】
前記第１の光学装置は、クライアント装置又はネットワークである
請求項１０乃至１５のいずれか一項に記載の光伝送システム。
【請求項１７】
第１の入力ポートから入力する第３の光信号と、第２の入力ポートから入力する第４の
光信号とを合波して出力する合波部を備え、
前記制御部は、前記第１の入力ポートに対応する第３の光減衰量を第３の光減衰器に対して指示し、前記第２の入力ポートに対応する第４の光減衰量を第４の光減衰器に対して指示し、
前記第３の光減衰量は、前記第１の入力ポートの接続先と対応して定められ、
前記第４の光減衰量は、前記第２の入力ポートの接続先と対応して定められる
請求項１０乃至１６のいずれか一項に記載の光伝送システム。
【請求項１８】
前記制御部は、前記第１の光減衰器の出力先を示す接続情報を外部管理装置から受け
取り、前記接続情報に基づいて、前記第１の光信号に対する減衰量を特定する
請求項１０乃至１７のいずれか一項に記載の光伝送システム。
【請求項１９】
波長多重光信号に含まれる第１の光学装置に対する減衰量を指示し、
前記波長多重光信号から第１の光信号を分波し、
前記第１の光信号を減衰して前記第１の光学装置へ出力し、
前記第１の光学装置が第２の光学装置に切替えられたとき、前記減衰量を変化させ、
前記第１の光信号を減衰して前記第２の光学装置へ出力する
光伝送方法。
【発明の詳細な説明】
【技術分野】
【０００１】
本発明は、分岐挿入装置、ネットワークシステム、伝送方法、制御プログラム及び管理装置に関し、例えば波長多重分離技術を用いた光通信ネットワークにおいて用いられる分岐挿入装置、ネットワークシステム、伝送方法、制御プログラム及び管理装置に関する。
【背景技術】
【０００２】
近年、音声・映像などの大容量コンテンツを扱うサービスの拡大とともに光伝送ネットワークの大容量化、長距離化のニーズが高まっている。このような要求を満たすために、近年の光伝送ネットワークにおいて、ＷＤＭ（Wavelength Division Multiplexing）技術の導入が検討されている。
【０００３】
ＷＤＭ技術による光通信では、光ファイバを通過する光信号が異なる波長の光信号と干渉しないことを利用して、1本の光ファイバケーブル内で、個別の波長ごとに信号チャネルを形成することができる。
【０００４】
したがって、一本の光ファイバケーブルで、単位時間当たりに伝送できる情報量を大幅に増やすことができる。また、より柔軟なネットワークを構築するために、端局装置、中継装置や、光の波長単位で光信号の分岐挿入を行う分岐挿入装置として、ＲＯＡＤＭ（Reconfigurable Optical Add/Drop Multiplexer）などの開発および導入が進んでいる。
【０００５】
このＲＯＡＤＭを用いたネットワーク技術として、先行技術文献１〜４に開示されたものがある。これらのＲＯＡＤＭでは、接続先からの光信号を減衰して、光信号間のパワー差を調整し、調整後の光信号を多重化している。
【先行技術文献】
【特許文献】
【０００６】
【特許文献１】特開２０１１−０４０９９７号公報
【特許文献２】特開２０１３−１２３２０５号公報
【特許文献３】特表２０１３−５３１９０９号公報
【特許文献４】国際公開２００９／１４５１１８号
【発明の概要】
【発明が解決しようとする課題】
【０００７】
しかしながら、従来の分岐挿入装置では、光信号の減衰量を固定していたので、分岐挿入装置に接続する装置を変更することができないという課題があった。
【０００８】
本発明の目的は、分岐挿入装置に接続する装置を任意に変更できる分岐挿入装置を提供することにある。
【課題を解決するための手段】
【０００９】
本発明の分岐挿入装置は、
受信した波長多重光信号を、少なくとも１つのクライアント装置及び少なくとも１つのネットワークに対して、当該波長多重光信号を構成する波長毎に選択的に転送可能な通信部と、前記波長多重光信号に含まれる所定の波長の光信号の属性に応じて当該所定の波長の光信号の転送先を前記通信部に指示する制御部と、を備え、前記制御部は、前記通信部に対し、前記所定の波長の光信号の転送先に応じて、前記所定の波長の光信号の減衰量を指示し、前記通信部は、前記制御部の指示に応じて前記所定の波長の光信号を減衰し、減衰後の光信号を前記転送先に転送するようにした。
【００１０】
本発明のネットワークシステムは、
受信した波長多重光信号を、少なくとも１つのクライアント装置及び少なくとも１つのネットワークに対して、当該波長多重光信号を構成する波長毎に選択的に転送可能な分岐挿入装置と、前記波長多重光信号に含まれる所定の波長の光信号の属性に応じて当該所定の波長の光信号の転送先を前記分岐挿入装置に指示する制御装置と、を備え、前記分岐挿入装置は、前記所定の波長の光信号の転送先に応じた減衰量で当該所定の波長の光信号を減衰し、減衰後の光信号を前記転送先に転送するようにした。
【００１１】
本発明の伝送方法は、
受信した波長多重光信号を、少なくとも１つのクライアント装置及び少なくとも１つのネットワークに対して、当該波長多重光信号を構成する波長毎に選択的に転送し、前記波長多重光信号に含まれる所定の波長の光信号の属性に応じて当該所定の波長の光信号の転送先を決定し、前記所定の波長の光信号の転送先に応じた減衰量を設定し、前記設定した減衰量に応じて前記所定の波長の光信号を減衰して前記転送先に転送するようにした。
【００１２】
本発明の制御プログラムは、
受信した波長多重光信号を、少なくとも１つのクライアント装置及び少なくとも１つのネットワークに対して、当該波長多重光信号を構成する波長毎に選択的に転送可能な分岐挿入装置の制御プログラムであって、接続する装置の変更情報を受信する受信ステップと、前記接続する装置が変更された場合、減衰量を変更する変更ステップと、を備えるようにした。
【００１３】
本発明の管理装置は、
受信した波長多重光信号を、少なくとも１つのクライアント装置及び少なくとも１つのネットワークに対して、当該波長多重光信号を構成する波長毎に選択的に転送可能な分岐挿入装置と通信可能なインターフェースと、前記インターフェースを介して前記分岐挿入装置を制御可能な制御部と、を備え、前記制御部は、前記分岐挿入装置に対し、前記波長多重光信号に含まれる所定の波長の光信号の属性に応じた当該所定の波長の光信号の転送先と、前記所定の波長の光信号の転送先に応じた前記所定の波長の光信号の減衰量とを指示するようにした。
【発明の効果】
【００１４】
本発明によれば、本発明によれば、分岐挿入装置に接続する装置を任意に変更できる分岐挿入装置を提供することができる。
【図面の簡単な説明】
【００１５】
【図１】本発明の第１の実施形態に係るネットワークシステムの構成を示すブロック図である。
【図２】本発明の第１の実施形態に係る分岐挿入装置の構成を示すブロック図である。
【図３】本発明の第１の実施の形態にかかるネットワークシステムの通信の例を示すシーケンス図である。
【図４】本発明の第２の実施形態にかかる分岐挿入装置の通信部の構成を示すブロック図である。
【図５】本発明の第３の実施形態にかかる波長選択スイッチの構成を示す図である。
【図６】本発明の第３の実施形態にかかる波長選択スイッチにおいて出力ポートの接続先の装置が変更になる例を示す図である。
【図７】本発明の第３の実施形態にかかる波長選択スイッチの構成を示す図である。
【図８】本発明の第３の実施形態にかかる波長選択スイッチにおいて入力ポートの接続先の装置が変更になる例を示す図である。
【図９】本発明の第３の実施形態に係る波長パス通信ノード装置の構成例を示すブロック図である。
【図１０】第４の実施形態にかかるネットワークシステムの構成を示す図である。
【図１１】第４の実施形態の管理装置の構成を示すブロック図である。
【発明を実施するための形態】
【００１６】
（第１の実施形態）
以下に、図面を参照して本第１の実施の形態に係る分岐挿入装置及びネットワークシステムを説明する。図１は、本発明の第１の実施形態に係るネットワークシステムの構成を示すブロック図である。図１において、ネットワークシステム１０は、分岐挿入装置１１〜１４と、ネットワーク１５〜１９と、端局２０〜２１と、クライアント装置２２とを備える。
【００１７】
分岐挿入装置１１〜１４は、ネットワーク１５で互いに接続している。また、分岐挿入装置１１〜１４は、それぞれネットワーク１６〜１９、端局２０〜２１、クライアント装置２２とも接続している。これらの接続は例えば、光ファイバ等の光信号を伝送するケーブルを用いることが好適である。
【００１８】
そして、分岐挿入装置１１〜１４は、各装置から受信した光信号を通信経路に応じて転送する。
【００１９】
分岐挿入装置１１は、ネットワーク１５、ネットワーク１６、端局２０及びクライアント装置２２と接続している。そして、分岐挿入装置１１は、ネットワーク１５、ネットワーク１６、端局２０及びクライアント装置２２から光信号を受信する。そして、分岐挿入装置１１は、受信した光信号の属性に応じて通信経路を選択し、選択された通信経路の転送先の装置に光信号を転送する。
【００２０】
転送先の装置は分岐挿入装置に接続する装置のいずれかである。例えば、分岐挿入装置１１では、転送先の装置は、ネットワーク１５、ネットワーク１６、端局２０及びクライアント装置２２のいずれかとなる。
【００２１】
分岐挿入装置１１は、光信号を転送する場合に、転送する光信号のパワーを調整して、転送する光信号を転送先の装置に転送する。すなわち、分岐挿入装置１１は、転送する光信号のパワーを減衰し、減衰後の光信号を転送先の装置に転送する。
【００２２】
分岐挿入装置１１に接続する装置（例えば、ネットワーク１６、端局２０またはクライアント装置２２）が変更された場合、分岐挿入装置１１は、減衰量を変更する。そして、分岐挿入装置１１は、変更後の減衰量で、転送する光信号のパワーを減衰し、減衰後の光信号を転送先の装置に転送する。光信号の減衰量は、分岐挿入装置１１に接続する装置単位で設定及び変更される。
【００２３】
次に分岐挿入装置の構成について説明する。図２は、本発明の第１の実施形態に係る分岐挿入装置の構成を示すブロック図である。図２において、分岐挿入装置１１は、通信部１０１と、制御部１０２とを備える。図２の分岐挿入装置１１は、図１の分岐挿入装置１１〜１４に対応する装置である。
【００２４】
通信部１０１は、ネットワーク１５と接続し、またクライアント装置２２、端局２０、またはネットワーク１６とも接続する。そして、通信部１０１は、ネットワーク、クライアント装置、端局、またはネットワークから受信した光信号を制御部１０２の指示する転送先の装置に転送する。
【００２５】
そして、通信部１０１は、ネットワーク１５、クライアント装置２２、端局２０またはネットワーク１６から光信号を受信し、受信した光信号を、制御部１０２が指示する減衰量で減衰する。そして、通信部１０１は、減衰後の光信号を転送先の装置に転送する。
【００２６】
制御部１０２は、受信する光信号の属性に応じて通信経路を選択し、選択された通信経路に光信号を転送することを通信部１０１に指示する。また、制御部１０２は、通信部１０１に接続する装置単位で設定された減衰量を通信部１０１に指示する。
【００２７】
通信部１０１に接続する装置が変更された場合、制御部１０２は、変更された装置に対応する減衰量を通信部１０１に指示する。
【００２８】
次に分岐挿入装置とネットワーク及びクライアント装置との通信手順について説明する。図３は、本発明の第１の実施の形態にかかるネットワークシステムの通信の例を示すシーケンス図である。
【００２９】
図３において、分岐挿入装置１１は、通信する光信号の属性情報を取得する。例えば、分岐挿入装置１１は、受信した光信号または外部の制御信号に基づいて、通信する光信号の属性情報を取得する。そして、分岐挿入装置１１は、受信した光信号の属性に応じて通信経路を選択する。そして、分岐挿入装置１１は、選択された通信経路で光信号を通信する。
【００３０】
例えば、受信した光信号が、分岐挿入装置１１に接続するクライアント装置２２に送信する光信号である場合、分岐挿入装置１１は、クライアント装置２２に光信号を送信する。また、受信した光信号が、分岐挿入装置１１に接続するネットワーク１５を経由して他の装置に送信する光信号である場合、分岐挿入装置１１は、ネットワーク１５に光信号を送信する。なお、クライアント装置２２は、図１のネットワーク１６、端局２０であっても良い。
【００３１】
分岐挿入装置１１から送信される光信号は、分岐挿入装置１１で減衰することによりパワーを調整された光信号である。ネットワークの増減設やクライアント装置の増減設によって、分岐挿入装置１１と接続する装置が変化した場合、光信号の減衰量は変更される。この結果、分岐挿入装置１１と接続する装置が変更されたとしても、適切なパワーの光信号で通信を行うことができる。
【００３２】
このように第１の実施の形態の分岐挿入装置によれば、分岐挿入装置に接続する装置が変更された場合に、分岐挿入装置が通信する光信号の減衰量を変更することにより、分岐挿入装置に接続する装置を任意に変更できる。
【００３３】
（第２の実施形態）
図４は、本発明の第２の実施形態にかかる分岐挿入装置の通信部の構成を示すブロック図である。図１と同一の構成については、同一の番号を付し、説明を省略する。図４において、通信部１０１は、分岐部１１１と、挿入部１１２とを備える。また図４の通信部１０１は、図２の通信部１０１に対応する構成である。
【００３４】
分岐部１１１は、ネットワークから受信した光信号を分岐し、制御部１０２の指示に基づいて光信号の送信先を決定する。そして、光信号の送信先が分岐部１１１と接続する分岐先の装置（例えばクライアント装置２２またはネットワーク１６）である場合には、分岐部１１１は、分岐先の装置に光信号を送信する。また、分岐部１１１は、それ以外の光信号を挿入部１１２に出力する。
【００３５】
例えば、受信した光信号が多重化した光信号である場合、分岐部１１１は、多重化した光信号から、分岐部１１１と接続するクライアント装置２２またはネットワーク１６宛ての光信号を分岐し、接続する装置別に設定された減衰量で減衰し、減衰後の光信号を分岐部１１１と接続するクライアント装置２２またはネットワーク１６に送信する。
【００３６】
そして、分岐部１１１に接続する分岐先の装置が変更された場合、分岐部１１１は減衰量を変更する。そして、分岐部１１１は、分岐後の光信号のパワーを変更後の減衰量で減衰する。そして、分岐部１１１は、減衰後の光信号を分岐先の装置に光信号を送信する。
【００３７】
挿入部１１２は、挿入部１１２と接続するクライアント装置２２またはネットワーク１６から光信号を受信し、接続する装置別に設定された減衰量で受信した光信号を減衰する。そして、挿入部１１２は、減衰後の光信号を分岐部１１１から出力された光信号に挿入し、挿入後の光信号をネットワーク１５に送信する。
【００３８】
そして、挿入部１１２に接続する挿入元の装置が変更された場合、挿入部１１２は、減衰量を変更する。そして、挿入部１１２は、転送する光信号のパワーを変更後の減衰量で減衰し、減衰後の光信号をネットワーク１５の光信号に挿入する。光信号の減衰量は、挿入部１１２に接続する装置単位で設定及び変更される。
【００３９】
ここで、第２の実施の形態の分岐挿入装置と従来の装置とを比べると、従来の装置では、光信号の減衰量が固定されていたので、挿入部１１２に接続する装置の変更により、挿入部１１２に入力する光信号のレベルが変化し、挿入する光信号と挿入される光信号のパワーのバランスが崩れる。したがって、挿入する光信号と挿入される光信号の一方のパワーが強すぎる場合、他方の光信号に干渉を与え、光信号を劣化させてしまう。
【００４０】
一方、第２の実施の形態の分岐挿入装置では、挿入部１１２に接続する装置が変更された場合でも、変更された装置からの光信号のパワーに対応して減衰量を変更するので、挿入する光信号と挿入される光信号のパワーのバランスが崩れない。したがって、任意のポートに任意の接続を行っても、挿入する光信号と挿入される光信号の一方が他方に干渉して劣化することを抑制できる。
【００４１】
このように第２の実施の形態の分岐挿入装置によれば、接続する装置が変更された場合に、接続する装置から送信された光信号の減衰量を変更することにより、挿入する光信号と挿入される光信号とのパワーのバランスをとることができ、光信号の挿入による干渉の影響を抑えることができる。
【００４２】
なお、上記説明では分岐部１１１と挿入部１１２との両方を備える記載としているが、一方の分岐部１１１を備える構成としても良いし、他方の挿入部１１２を備える構成としても良い。
【００４３】
（第３の実施形態）
第３の実施形態では、分岐挿入装置を波長選択スイッチ（Wavelength Selective Switch）に適用した例について説明する。図５は、本発明の第３の実施形態にかかる波長選択スイッチの構成を示す図である。図５の波長選択スイッチ２００は、図４の分岐部１１１に適用できる構成である。図５において、波長選択スイッチ２００は、波長分波器２０１と、可変光減衰器２０２Ａ〜２０２Ｄと、光スイッチ２０３Ａ〜２０３Ｄと、合波器２０４Ａ〜２０４Ｃと、制御部２０５から構成される。
【００４４】
波長分波器２０１は、共通ポートから入力された光信号を波長単位で分波する。そして波長分波器２０１は、分波後の光信号を波長別に可変光減衰器２０２Ａ〜２０２Ｄに出力する。
【００４５】
可変光減衰器２０２Ａ〜２０２Ｄは、光信号を減衰する。そして、可変光減衰器２０２Ａ〜２０２Ｄは、減衰後の光信号をそれぞれに光スイッチ２０３Ａ〜２０３Ｄ出力する。可変光減衰器２０２Ａ〜２０２Ｄにおける減衰量は、可変であり、また制御部２０５の指示により決定する。
【００４６】
光スイッチ２０３Ａ〜２０３Ｄは、光信号の出力先を合波器２０４Ａ〜２０４Ｃから選択して出力する。
【００４７】
合波器２０４Ａ〜２０４Ｃは、光スイッチ２０３Ａ〜２０３Ｄから出力された光信号をそれぞれ合波する。そして合波器２０４Ａ〜２０４Ｃは、合波した光信号をそれぞれ光出力ポートＡ〜Ｃに出力する。
【００４８】
制御部２０５は、可変光減衰器２０２Ａ〜２０２Ｄの減衰量を指示し、また光スイッチ２０３Ａ〜２０３Ｄの選択先を指示する。光スイッチ２０３Ａ〜２０３Ｄの選択先は、外部からの経路情報により決定される。なお、後述する図９のように、複数の方路を有する場合には、方路単位で制御部２０５を備え、制御部１０２が複数の制御部２０５を制御してもよい。
【００４９】
また、可変光減衰器２０２Ａ〜２０２Ｄの減衰量は、その波長が出力される出力ポートＡ〜Ｃの接続先情報に基づいて、波長分波器２０１で分波された波長単位で設定する。ここで、接続先情報とは、出力ポートＡ〜Ｃに接続される装置及びネットワークに関する情報である。そして、出力ポートの接続先の装置が変更された場合、制御部２０５は、接続先の装置が変更となった出力ポートの減衰量を変更する。
【００５０】
図６は、本発明の第３の実施形態にかかる波長選択スイッチにおいて出力ポートの接続先の装置が変更になる例を示す図である。図６において、ＸＣは、接続先がクロスコネクト（波長クロスコネクト）であることを示し、ＤＲＯＰは、分岐するクライアント装置を示す。図６において、波長選択スイッチ２００は、光出力ポートＡ及びＣにおいてクロスコネクトと接続し、光出力ポートＢにおいて、分岐するクライアント装置に接続している。
【００５１】
ここで、光出力ポートＣの接続対象が、クロスコネクトから分岐するクライアント装置に変更された場合、制御部２０５は、光出力ポートＣに対応する可変光減衰器２０２Ａ〜２０２Ｄの減衰量の変更を指示する。
【００５２】
この減衰量の変更により、光出力ポートＣの信号のパワーは、分岐するクライアント装置に適したレベルとなる。
【００５３】
次に挿入部１１２に波長選択スイッチを適用する例について説明する。図７は、本発明の第３の実施形態にかかる波長選択スイッチの構成を示す図である。図７の波長選択スイッチ３００は、図４の挿入部１１２に適用できる構成である。図７において、波長選択スイッチ３００は、波長分波器３０１Ａ〜３０１Ｃと、光スイッチ３０２Ａ〜３０２Ｄと、可変光減衰器３０３Ａ〜３０３Ｄと、合波器３０４と、制御部３０５から構成される。
【００５４】
波長分波器３０１Ａ〜３０１Ｃは、光入力ポートＡ〜Ｃから入力された光信号を波長単位で分波する。そして波長分波器３０１Ａ〜３０１Ｃは、分波後の光信号を波長別にそれぞれ光スイッチ３０２Ａ〜３０２Ｄに出力する。
【００５５】
光スイッチ３０２Ａ〜３０２Ｄは、波長分波器３０１Ａ〜３０１Ｃから出力された光信号を選択して可変光減衰器３０３Ａ〜３０３Ｄに出力する。
【００５６】
可変光減衰器３０３Ａ〜３０３Ｄは、光入力ポートから入力された光信号を減衰する。そして、可変光減衰器３０３Ａ〜３０３Ｄは、減衰後の光信号を合波器３０４に出力する。可変光減衰器３０３Ａ〜３０３Ｄにおける減衰量は、可変であり、また制御部３０５の指示により決定する。
【００５７】
合波器３０４は、可変光減衰器３０３Ａ〜３０３Ｄから出力された光信号を合波する。そして合波器３０４は、合波した光信号を共通ポートに出力する。
【００５８】
制御部３０５は、可変光減衰器３０３Ａ〜３０３Ｄの減衰量を指示し、また光スイッチ３０２Ａ〜３０２Ｄの選択元を指示する。光スイッチ３０２Ａ〜３０２Ｄの選択元は、外部からの経路情報により決定される。なお、後述する図９のように、複数の方路を有する場合には、方路単位で制御部３０５を備え、制御部１０２が複数の制御部３０５を制御してもよい。
【００５９】
また、可変光減衰器３０３Ａ〜３０３Ｄの減衰量は、その波長が入力される入力ポートＡ〜Ｃの接続先情報に基づいて、波長分波器３０１Ａ〜３０１Ｃで分波された波長単位で減衰量を設定する。ここで、接続先情報とは、入力ポートＡ〜Ｃに接続される装置及びネットワークに関する情報である。そして、入力ポートの接続先の装置が変更された場合、制御部３０５は、接続先の装置が変更となった入力ポートの減衰量を変更する。
【００６０】
図８は、本発明の第３の実施形態にかかる波長選択スイッチにおいて入力ポートの接続先の装置が変更になる例を示す図である。図８において、ＸＣは、接続先がクロスコネクト（波長クロスコネクト）であることを示し、ＡＤＤは、挿入するクライアント装置を示す。図８において、波長選択スイッチ３００は、光入力ポートＡ及びＣにおいてクロスコネクトと接続し、光出力ポートＢにおいて、挿入するクライアント装置に接続している。
【００６１】
ここで、光入力ポートＣの接続対象が、クロスコネクトから挿入するクライアント装置に変更された場合、制御部３０５は、光入力ポートＣに対応する可変光減衰器３０３Ａ〜３０３Ｄの減衰量の変更を指示する。
【００６２】
この減衰量の変更により、光入力ポートＣの信号のパワーは、挿入するクライアント装置に適したレベルとなる。
【００６３】
このように、第３の実施の形態の挿入分岐装置によれば、ポートの接続先の装置が変更された場合に、接続する装置に対応する光信号の減衰量を変更することにより、ポートに接続する装置を任意に変更することができるので、限られたポート数のリソースを有効に利用できる。また、ポートに接続する装置を任意に変更することができるので、挿入分岐装置に接続する装置を運用が柔軟に行うことができる。
【００６４】
この、第３の実施の形態の波長選択スイッチを波長パス通信ノード装置に適用することが好適である。以下、波長選択スイッチを波長パス通信ノード装置に適用した例について説明する。
【００６５】
図９は、本発明の第３の実施形態に係る波長パス通信ノード装置の構成例を示すブロック図である。図９において、波長パス通信ノード装置４００は、波長クロスコネクトＷＸＣ４０１と、波長クロスコネクト（Wavelength Cross-Connect）ＷＸＣ４０２と、光受信部４１０、４１１と、光送信部４１２、４１３と、挿入／分岐４２０、４２１と、集線装置４３０とを有する。また、波長パス通信ノード装置４００は、クライアント装置４４０〜４４３と光信号のやり取りを行うものである。各構成の機能及び動作を以下に示す。
【００６６】
波長クロスコネクトＷＸＣ４０１は、波長選択スイッチＷＳＳ４０１Ａ、４０１Ｂを有する。同様に波長クロスコネクトＷＸＣ４０２は、波長選択スイッチＷＳＳ４０２Ａ、４０２Ｂを有する。これらの波長選択スイッチは、光学モジュールと制御モジュールから構成され、入力されたＷＤＭ信号を，波長ごとに異なる出力ポートに接続するポートスイッチ機能と，波長ごとに透過光パワーを調整するアッテネーション機能を有する。
【００６７】
光受信部４１０、４１１は、光減衰器、光増幅器を有し、方路からの光信号のパワーを調整し、調整後の光信号を、波長選択スイッチＷＳＳ４０１Ａ、４０２Ａに出力する。
【００６８】
光送信部４１２、４１３は、光増幅器を有し、波長選択スイッチＷＳＳ４０１Ｂ、４０２Ｂからの光信号を増幅して方路に出力する。
【００６９】
挿入／分岐４２０は、ＯＤＭＵＸ（Optical Demultiplexer）４２０Ａと、トランスポンダ４２０Ｂと、ＯＭＵＸ４２０Ｃとを有する。同様に挿入／分岐４２１は、ＯＤＭＵＸ４２１Ａと、トランスポンダ４２１Ｂと、ＯＭＵＸ４２１Ｃとを有する。
【００７０】
波長選択スイッチＷＳＳ４０１Ａから出力された光信号は、ＯＤＭＵＸ４２０Ａにおいて、クライアント装置４４０向けに割り当てられた信号波長を取り出し、トランスポンダ４２０Ｂを介してクライアント装置４４０に出力される。
【００７１】
またクライアント装置４４０からの光信号は、トランスポンダ４２０Ｂで割り当てられた波長に変換され、ＯＭＵＸ４２０Ｃで合波され、波長選択スイッチＷＳＳ４０１Ｂに出力される。
【００７２】
集線装置４３０は、光スイッチ４３０Ａと、トランスポンダ４３０Ｂ、４３０Ｃとを有する。
【００７３】
光スイッチ４３０Ａは、波長クロスコネクトＷＸＣ４０１、４０２から受信した光信号からクライアント装置４４２、４４３に送信する光信号を選択し、トランスポンダ４３０Ｂ、４３０Ｃを介してクライアント装置４４２、４４３に選択した光信号を出力する。
【００７４】
また、トランスポンダ４３０Ｂ、４３０Ｃは、クライアント装置４４２、４４３からの光信号を波長多重に適した光信号に変換する。そして、光スイッチ４３０Ａは、波長クロスコネクトＷＸＣ４０１、４０２のいずれかを選択し、選択した波長クロスコネクトに変換後の光信号を出力する。
【００７５】
例えば、トランスポンダ４３０Ｂを伝送路（方路Ｐ１０ａ，ｂ）からのクライアント装置４４２向けの信号の分岐挿入、トランスポンダ４３０Ｃを伝送路（方路Ｐ２０ａ，ｂ）からのクライアント装置４４３向けの信号の分岐挿入用に用いることもできるし、光スイッチ４３０Ａの切り替えにより、トランスポンダ４３０Ｃを伝送路（方路Ｐ１０ａ，ｂ）からのクライアント装置４４２向けの信号の分岐挿入、トランスポンダ４３０Ｂを伝送路（方路Ｐ２０ａ，ｂ）からのクライアント装置４４３向けの信号の分岐挿入用に用いることもできる。
【００７６】
次にこれらの各構成と光信号をやり取りする波長選択スイッチの接続及び動作について説明する。
【００７７】
波長選択スイッチＷＳＳ４０１Ａは、光受信部４１０と共通ポートで接続し、ＯＤＭＵＸ４２０Ａ、波長選択スイッチＷＳＳ４０２Ｂ及び光スイッチ４３０Ａと選択ポートで接続する。同様に、波長選択スイッチＷＳＳ４０２Ａは、光受信部４１１と共通ポートで接続し、ＯＤＭＵＸ４２１Ａ、波長選択スイッチＷＳＳ４０１Ｂ及び光スイッチ４３０Ａと選択ポートで接続する。
【００７８】
また、波長選択スイッチＷＳＳ４０１Ｂは、光送信部４１２と共通ポートで接続し、ＯＭＵＸ４２０Ｃ、波長選択スイッチＷＳＳ４０２Ａ及び光スイッチ４３０Ａと選択ポートで接続する。同様に、波長選択スイッチＷＳＳ４０２Ｂは、光送信部４１３と共通ポートで接続し、ＯＭＵＸ４２１Ｃ、波長選択スイッチＷＳＳ４０１Ａ及び光スイッチ４３０Ａと選択ポートで接続する。
【００７９】
すなわち本実施の形態の波長パス通信ノード装置４００は、光受信部４１０、４１１からの光信号を選択的に分岐させる構成として波長選択スイッチＷＳＳ４０１Ａ、４０２Ａを備えることにより、ＣＤＣ機能のないＲＯＡＤＭの波長クロスコネクトＷＸＣに加え、複数の光スイッチで構成された集線装置（ａｇｇｒｅｇａｔｏｒ）を実装して、ＣＤＣ機能を実現する。
【００８０】
そして、波長選択スイッチの選択ポートは、波長選択スイッチ、集線装置、分岐または挿入するクライアントのいずれに接続し、また接続対象を変更することができる。
【００８１】
次に信号処理について説明する。
方路Ｐ１０ｂからの波長多重信号は、光受信部４１０において信号パワーが調整され、波長選択スイッチＷＳＳ４０１Ａの共通ポートに出力される。そして、波長選択スイッチＷＳＳ４０１Ａでは、波長多重信号を出力する選択ポートを波長別に選択し、選択ポートに接続したＯＤＭＵＸ４２０Ａ、波長選択スイッチＷＳＳ４０２Ｂまたは光スイッチ４３０Ａに選択した光信号を出力する。
【００８２】
ＯＤＭＵＸ４２０Ａに出力された光信号は、ＯＤＭＵＸ４２０Ａにおいて、クライアント装置４４０向けに割り当てられた信号波長を取り出し、トランスポンダ４２０Ｂを介してクライアント装置４４０に出力される。
【００８３】
また、波長選択スイッチＷＳＳ４０２Ｂに出力された光信号は、波長選択スイッチＷＳＳ４０２Ｂにおいて、他の光信号に挿入され、光送信部４１３でパワー調整等をしたのち、方路Ｐ２０ａに送出される。
【００８４】
また、光スイッチ４３０Ａに出力された光信号は、光スイッチ４３０Ａにおいて、クライアント装置４４２、４４３に送信する光信号を選択し、トランスポンダ４３０Ｂ、４３０Ｃを介してクライアント装置４４２、４４３に出力される。
【００８５】
このように、方路からの波長多重信号は、波長選択スイッチにより波長別に光信号を選択して、方路またはクライアント装置に出力される。
【００８６】
また、クライアント装置からの光信号もトランスポンダ４３０Ｂ、４３０Ｃを介して光スイッチ４３０Ａに出力され、光スイッチ４３０Ａにおいて、選択した波長クロスコネクトに変換後の光信号が出力される。そして、波長選択スイッチにより他の光信号に挿入され、光送信部を経由して方路に出力される。
【００８７】
このように本実施の形態の波長パス通信ノード装置は、方路からの光信号を波長選択スイッチにより、対向方路の挿入側波長選択スイッチ、集線装置、ＯＤＭＵＸ／ＯＭＵＸのいずれかに波長別で光信号を出力し、出入力ポート情報に基づき最適なＡＴＴ調整をすることにより、波長クロスコネクトと集線装置とを最適パワーの構成としてＲＯＤＡＭを構成でき、任意のポートに任意の接続先を接続でき、任意の波長を出力可能、且つ任意の方路へ出力可能、且つ波長・方路の衝突がない波長パス通信ノード装置を実現することができる。
【００８８】
なお、図９の波長クロスコネクトＷＸＣ４０１の波長選択スイッチＷＳＳ４０１Ａ、波長クロスコネクトＷＸＣ４０２の波長選択スイッチＷＳＳ４０２Ａ、スプリッタに置き換えることも可能である。
【００８９】
また、図９では、波長選択スイッチが２方路の例を示しているが、ＷＳＳのポート数を拡張し任意の数の方路に変更してもよい。さらに、各ポートへ出力する波長多重光信号の波長多重数は、任意の数に変更してもよい。
【００９０】
（第４の実施形態）
第４の実施形態では、第１〜３の実施形態の分岐挿入装置を制御する装置について説明する。図１０は、第４の実施形態にかかるネットワーク管理システムの構成を示す図である。図１０において、ネットワーク管理システム５００は、管理装置５０１と、分岐挿入装置１１とを備える。ここで、管理装置５０１は、例えば、通信ネットワークやネットワーク機器を管理するＮＭＳ（Network Management System）／ＥＭＳ（Element Management System）等である。
【００９１】
管理装置５０１は、ユーザーからの接続情報の登録を受け付け、接続情報を登録する。そして、管理装置５０１は、接続情報を分岐挿入装置１１に送信する。ここで、分岐挿入装置１１に接続する装置が変更するとの接続情報を受け付けた場合、管理装置５０１は、接続対象が変更されたことを分岐挿入装置１１に送信する。
【００９２】
分岐挿入装置１１は、第１〜３の実施形態のいずれかの分岐挿入装置である。接続対象の変更に関する接続情報を受信した場合、分岐挿入装置１１は、分岐挿入装置１１が通信する光信号の減衰量を変更する。
【００９３】
次に管理装置５０１の構成について説明する。図１１は、第４の実施形態の管理装置の構成を示すブロック図である。
【００９４】
図１１において、管理装置５０１は、制御部５０２と、インターフェース５０３とを備える。
【００９５】
制御部５０２は、ユーザーからの接続情報の登録及び変更を受け付け、接続情報を登録する。そして、分岐挿入装置１１に接続する装置が変更するとの接続情報を受け付けた場合、制御部５０２は、分岐挿入装置１１に接続する装置が変更するとの接続情報をインターフェース５０３に出力する。
【００９６】
インターフェース５０３は、制御部５０２から出力された接続情報を分岐挿入装置１１に出力するインターフェースである。インターフェース５０３は、電気または光による通信で分岐挿入装置１１と通信を行う構成が好適である。
【００９７】
このように第４の実施形態の管理装置によれば、分岐挿入装置に接続する装置が変更された場合に、接続の変更を分岐挿入装置に伝えることができるので、遠隔操作により、分岐挿入装置を任意に変更できる。
【００９８】
なお、第４の実施形態において、管理装置５０１の制御部５０２は、分岐挿入装置１１が通信する光信号の入力ポート毎及び波長毎の減衰量を指示してもよい。
【００９９】
また、各実施の形態において、減衰量は０も含まれる。すなわち減衰しない設定である場合には、減衰量は０となる。また、各実施の形態において、減衰器に代わって増幅器を設ける構成とし、減衰量を増幅量として、各光信号のパワーを増幅されるようにしてもよい。この場合、分岐挿入装置１１の制御部１０２及び管理装置５０１の制御部５０２は、分岐挿入装置１１が通信する光信号の入力ポート毎及び波長毎の増幅量を制御／指示する。
【０１００】
また、光信号の転送はマルチキャストで行っても良い。
【０１０１】
また、上記各実施の形態の制御部、または制御に関する動作と構成は、ＡＳＩＣ（Application Specific Integrated Circuit）等のハードウェアまたはソフトウェアで実施できる。また、処理の一部をソフトウェアで実施し、それ以外をハードウェアで実施することとしても良い。ソフトウェアで実施する際には、マイクロプロセッサ等の１つあるいは複数のＣＰＵ（Central Processing Unit）を有するコンピュータシステムに機能ブロックの処理に関するプログラムを実行させればよい。これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Compact Disc Read Only Memory）、ＣＤ−Ｒ、ＣＤ−Ｒ／Ｗ、ＤＶＤ−ＲＯＭ（Digital Versatile Disc Read Only Memory）、ＤＶＤ−Ｒ（DVD Recordable）、ＤＶＤ−Ｒ  ＤＬ（DVD-R Dual Layer)、ＤＶＤ−ＲＷ（DVD ReWritable）、ＤＶＤ−ＲＡＭ、ＤＶＤ＋Ｒ、ＤＶＲ＋Ｒ  ＤＬ、ＤＶＤ＋ＲＷ、ＢＤ−Ｒ（Blu-ray（登録商標） Disc Recordable）、ＢＤ−ＲＥ（Blu-ray （登録商標）Disc Rewritable）、ＢＤ−ＲＯＭ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【産業上の利用可能性】
【０１０２】
本発明は、波長多重分離技術を用いた光通信ネットワークにおいて用いられる波長パス通信ノード装置及び伝送方法であれば好適に適用可能である。
【符号の説明】
【０１０３】
１０            ネットワークシステム
１５−１９        ネットワーク
１１−１４        分岐挿入装置
２０−２１        端局
２２、４４０−４４３    クライアント装置
１０１            通信部
１０２            制御部
１１１            分岐部
１１２            挿入部
２００、３００、４０１Ａ−４０２Ｂ            波長選択スイッチ
２０１、３０１Ａ−３０１Ｃ            波長分波器
２０２Ａ−２０２Ｄ、３０３Ａ−３０３Ｄ        可変光減衰器
２０３Ａ−２０３Ｄ、３０２Ａ−３０２Ｄ、４３０Ａ    光スイッチ
２０４Ａ−２０４Ｃ、３０４合波器
２０５、３０５、５０２    制御部
４００            波長パス通信ノード装置
４０１、４０２        波長クロスコネクト
４１０、４１１        光受信部
４１２、４１３        光送信部
４２０、４２１        分岐
４２０Ｂ、４２１Ｂ、４３０Ｂ、４３０Ｃ        トランスポンダ
４３０            集線装置
５００            ネットワーク管理システム
５０１            管理装置
５０３            インターフェース
【図１】
2020198614.tif 000003
【図２】
2020198614.tif 000004
【図３】
2020198614.tif 000005
【図４】
2020198614.tif 000006
【図５】
2020198614.tif 000007
【図６】
2020198614.tif 000008
【図７】
2020198614.tif 000009
【図８】
2020198614.tif 000010
【図９】
2020198614.tif 000011
【図１０】
2020198614.tif 000012
【図１１】
2020198614.tif 000013